(57)【要約】      （修正有）【課題】空気調和装置の室外ユニットに使用される吸込グリルにおいて、グリル本体に形成されたスペーサ部が室外熱交換器のフィンに接触してフィンの潰れが発生することを抑える。【解決手段】吸込グリルは、格子状のグリル本体と、グリル本体から室外熱交換器側に向かって突出する室外熱交換器のフィンピッチよりも横方向幅の寸法が大きいスペーサ部（３５）とを有している。しかも、スペーサ部（３５）には、スペーサ部（３５）の先端よりも室外熱交換器側に向かって突出する室外熱交換器のフィンピッチよりも横方向幅の寸法が大きい緩衝部材（３６）が設けられている。【選択図】図９
2013253723.tif 000002
【特許請求の範囲】
【請求項１】
ケーシング（２）の側面又は背面に形成された空気吸込口（２ｂ、２ｃ）に対向するようにクロスフィン式の室外熱交換器（２７）が前記ケーシング内に配置された空気調和装置の室外ユニット（１）において、前記空気吸込口（２ｃ）に取り付けられる吸込グリルであって、
格子状のグリル本体（３１）と、前記グリル本体から前記室外熱交換器側に向かって突出する前記室外熱交換器のフィンピッチよりも横方向幅の寸法が大きいスペーサ部（３５）とを有しており、
前記スペーサ部には、前記スペーサ部の先端よりも前記室外熱交換器側に向かって突出する前記室外熱交換器のフィンピッチよりも横方向幅の寸法が大きい緩衝部材（３６）が設けられている、
吸込グリル（３０）。
【請求項２】
前記緩衝部材（３６）は、前記スペーサ部（３５）の先端よりも上下方向幅の寸法が大きい、
請求項１に記載の吸込グリル（３０）。
【請求項３】
前記緩衝部材（３６）は、前記スペーサ部（３５）よりも軟質の素材からなる、
請求項１又は２に記載の吸込グリル（３０）。
【発明の詳細な説明】
【技術分野】
【０００１】
本発明は、空気調和装置の室外ユニットに使用される吸込グリル、特に、ケーシングの側面又は背面に形成された空気吸込口に対向するようにクロスフィン式の室外熱交換器がケーシング内に配置された空気調和装置の室外ユニットにおいて、空気吸込口に取り付けられる吸込グリルに関する。
【背景技術】
【０００２】
従来より、特許文献１（特開２００８−１３８８９６号公報）に示すように、ケーシングの側面又は背面に形成された空気吸込口に対向するようにクロスフィン式の室外熱交換器がケーシング内に配置された空気調和装置の室外ユニットがある。この室外ユニットの空気吸込口には、吸込グリルが取り付けられている。吸込グリルは、主として、格子状のグリル本体を有している。
【発明の概要】
【発明が解決しようとする課題】
【０００３】
上記従来の吸込グリルは、グリル本体に形成された爪部等によって空気吸込口に取り付けられている。そして、このような吸込グリルでは、グリル本体と室外熱交換器との接触を避けることが好ましいため、グリル本体から室外熱交換器側に突出するスペーサ部を形成することが考えられる。
【０００４】
しかし、このようなスペーサ部をグリル本体に形成すると、吸込グリルを取り付ける際や吸込グリルが取り付けられた状態の室外ユニットを輸送する際に、スペーサ部が室外熱交換器のフィンに接触して、フィンを潰してしまうおそれがある。
【０００５】
本発明の課題は、空気調和装置の室外ユニットに使用される吸込グリルにおいて、グリル本体に形成されたスペーサ部が室外熱交換器のフィンに接触してフィンの潰れが発生することを抑えることにある。
【課題を解決するための手段】
【０００６】
第１の観点にかかる吸込グリルは、ケーシングの側面又は背面に形成された空気吸込口に対向するようにクロスフィン式の室外熱交換器がケーシング内に配置された空気調和装置の室外ユニットにおいて、空気吸込口に取り付けられる吸込グリルである。そして、吸込グリルは、格子状のグリル本体と、グリル本体から室外熱交換器側に向かって突出する室外熱交換器のフィンピッチよりも横方向幅の寸法が大きいスペーサ部とを有している。しかも、スペーサ部には、スペーサ部の先端よりも室外熱交換器側に向かって突出する室外熱交換器のフィンピッチよりも横方向幅の寸法が大きい緩衝部材が設けられている。
【０００７】
ここでは、吸込グリルを空気吹出口に取り付ける際や吸込グリルが空気吹出口に取り付けられた状態の室外ユニットを輸送する際に、吸込グリルが室外熱交換器側に押圧される力が作用したとしても、スペーサ部に設けられた緩衝部材がフィンに先に接触するようになる。
【０００８】
これにより、ここでは、スペーサ部とフィンとの接触を避けることができるようになり、グリル本体に形成されたスペーサ部が室外熱交換器のフィンに接触してフィンの潰れが発生することを抑えることができる。
【０００９】
第２の観点にかかる吸込グリルは、第１の観点にかかる吸込グリルにおいて、緩衝部材が、スペーサ部の先端よりも上下方向幅の寸法が大きい。
【００１０】
ここでは、緩衝部材とフィンとの接触面積を大きくすることができるようになる。
【００１１】
これにより、ここでは、緩衝部材からフィンに作用する応力を緩和することができるようになり、緩衝部材とフィンとの接触によるフィンの変形も抑えることができる。
【００１２】
第３の観点にかかる吸込グリルは、第１又は第２の観点にかかる吸込グリルにおいて、緩衝部材が、スペーサ部よりも軟質の素材からなる。
【００１３】
ここでは、スペーサ部よりも軟質の緩衝部材がフィンに接触することになる。
【００１４】
これにより、ここでは、スペーサ部がフィンに接触する場合に比べて、フィンの変形を抑えることができる。
【発明の効果】
【００１５】
以上の説明に述べたように、本発明によれば、以下の効果が得られる。
【００１６】
第１の観点にかかる吸込グリルでは、スペーサ部とフィンとの接触を避けることができるようになり、グリル本体に形成されたスペーサ部が室外熱交換器のフィンに接触してフィンの潰れが発生することを抑えることができる。
【００１７】
第２の観点にかかる吸込グリルでは、緩衝部材からフィンに作用する応力を緩和することができるようになり、緩衝部材とフィンとの接触によるフィンの変形も抑えることができる。
【００１８】
第３の観点にかかる吸込グリルでは、スペーサ部がフィンに接触する場合に比べて、フィンの変形を抑えることができる。
【図面の簡単な説明】
【００１９】
【図１】本発明にかかる吸込グリルが採用された空気調和装置の室外ユニットの外観図である。
【図２】室外ユニットの概略分解斜視図である。
【図３】吸込グリルの概略斜視図である。
【図４】吸込グリルのＡ部（第１係止部）の拡大正面図である。
【図５】図４のＩ−Ｉ断面図である。
【図６】吸込グリルをケーシングの天板に係止させる際の様子を示す図である。
【図７】吸込グリルのＢ部（第２係止部）の拡大正面図である。
【図８】（ａ）図７のＩＩ−ＩＩ断面図、及び、（ｂ）図７のＩＩＩ−ＩＩＩ断面図である。
【図９】吸込グリルのＣ部（スペーサ部及び緩衝部材）の拡大斜視図である。
【図１０】吸込グリルのＣ部（スペーサ部及び緩衝部材）の拡大上面図である。
【図１１】吸込グリルのＣ部（スペーサ部及び緩衝部材）の拡大側面図である。
【発明を実施するための形態】
【００２０】
以下、本発明にかかる吸込グリルが採用された空気調和装置の室外ユニットの実施形態について、図面に基づいて説明する。尚、本発明にかかる吸込グリルが採用された空気調和装置の室外ユニットの具体的な構成は、下記の実施形態に限られるものではなく、発明の要旨を逸脱しない範囲で変更可能である。
【００２１】
（１）室外ユニットの全体構造
図１は、本発明にかかる吸込グリル３０が採用された空気調和装置の室外ユニット１の外観図である。図２は、室外ユニット１の概略分解斜視図である。
【００２２】
室外ユニット１は、室内ユニット（図示せず）と冷媒連絡管等を介して接続されることによって空気調和装置を構成するユニットである。ここでは、室外ユニット１は、略直方体形状のケーシング２内に、圧縮機（図示せず）、室外ファン（図示せず）、及び、室外熱交換器２７等が収容された構造を有している。
【００２３】
ケーシング２は、主として、前板２１と、第１側板２２と、第２側板２３と、天板２４と、底板２５とを有している。
【００２４】
前板２１は、ケーシング２の前面の一部（ここでは、室外ユニット１を正面から見て左側面寄りの部分）、及び、ケーシング２の左側面を形成する板金製の部材である。前板２１の前面を形成する部分には、ケーシング２内に配置される室内ファン（図示せず）に対向するように空気吹出口２ａが形成されている。空気吹出口２１ａには、ファンガード２６が取り付けられている。前板２１の左側面を形成する部分には、側面空気吸込口２ｂが形成されている。
【００２５】
第１側板２２は、ケーシング２の前面の一部（ここでは、室外ユニット１を正面から見て右側面寄りの部分）、及び、ケーシング２の右側面の前面寄りの部分を形成する板金製の部材である。
【００２６】
第２側板２３は、ケーシング２の右側面の背面寄りの部分、及び、ケーシング２の背面の右側面寄りの部分を形成する板金製の部材である。そして、ケーシング２の前面、側面及び背面のうち前板２１、第１側板２２及び第２側板２３のいずれにも覆われていない背面の左側面寄りの部分には、背面空気吸込口２ｃが形成されている。背面空気吸込口２ｃには、吸込グリル３０が取り付けられている。
【００２７】
天板２４は、ケーシング２の上面を形成する板金製の部材である。天板２４の背面側の縁部には、吸込グリル３０を係止するための係止孔２４ａが形成されている。
【００２８】
底板２５は、ケーシング２の下面を形成する板金製の部材である。底板２５上には、室外熱交換器２６が配置されている。室外熱交換器２６は、室外ユニット１を上面から見た際に、Ｌ字型の形状を有しており、ケーシング２の側面及び背面に形成された空気吸込口２１ｂ、２１ｃに対向するように配置されている。室外熱交換器２７は、水平方向に延びる多数の伝熱管２７ａを鉛直方向に延びる多数のフィン２７ｂに挿入することによって構成されたクロスフィン式の熱交換器である。
【００２９】
このように、室外ユニット１は、ケーシング２の側面又は背面に形成された空気吸込口２ｂ、２ｃに対向するようにクロスフィン式の室外熱交換器２７がケーシング２内に配置された構造を有している。そして、ここでは、空気吸込口２ｂ、２ｃのうち背面空気吸込口２ｃに吸込グリル３０が取り付けられている。
【００３０】
（２）吸込グリルの構造及び特徴
図３は、吸込グリル３０の概略斜視図である。
【００３１】
吸込グリル３０は、主として、格子状のグリル本体３１を有している。グリル本体３１は、樹脂製の部材であり、ここでは、ポリプロピレン樹脂からなる。
【００３２】
グリル本体３１には、図３及び図４に示すように、吸込グリル３０を天板２４に係止するための第１係止部３２と、第１係止部３２の近傍に配置される案内部３３とが形成されている。第１係止部３２及び案内部３３は、樹脂製であり、グリル本体３１と樹脂一体成形されている。ここでは、第１係止部３２は、図３に示すように、吸込グリル３０の上端部分に３つ形成されている。第１係止部３２は、図５に示すように、グリル本体３１と繋がる支持部３２ａと、支持部３２ａに形成されている爪部３２ｂとを有している。支持部３２ａは、グリル本体３１の上端部分から上方に向かって延びている。爪部３２ｂは、支持部３２ａの側面に形成されており、図５に示すように、上端から下端にかけて幅が広がるように傾斜している。図６に示すように、爪部３２ｂが天板２４の係止孔２４ａと嵌合することによって、天板２４と吸込グリル３０とが係止される。案内部３３は、図４に示すように、各第１係止部３２の左側及び右側に形成されている。案内部３３は、室外ユニット１を側面から見た際に、図５に示すように、第１係止部３２の爪部３２ｂに対向する滑り面３３ａを有している。図６に示すように、第１係止部３２の爪部３２ｂを天板２４の係止孔２４ａに嵌合させる際に、この滑り面３３ａ上で天板２４を滑らせることによって、爪部３２ｂが天板２４の係止孔２４ａまで案内される。
【００３３】
グリル本体３１は、図３に示すように、第１係止部３２から下方に向かって延びている。グリル本体３１は、主として、背面空気吸込口２ｃを覆う網目部３１ａと、網目部３１ａを囲むフレーム部３１ｂとを有している。網目部３１ａは、背面空気吸込口２ｃを覆う格子を形成している。フレーム部３１ｂは、網目部３１ａを囲む枠体を構成している。そして、フレーム部３１ｂには、図３に示すように、第２係止部３４が形成されている。第２係止部３４は、樹脂製であり、グリル本体３１と樹脂一体成形されている。ここでは、第２係止部３４は、図３に示すように、吸込グリル３０の上下方向の中央部分に３つ形成され、さらに、下端部分にも３つ形成されている。第２係止部３４は、図７及び図８に示すように、グリル本体３１から室外熱交換器２７側に向かって突出する係止突起部３４ａ、３４ｂを有している。係止突起部３４ａ、３４ｂは、室外熱交換器２７のフィン２７ｂ間の隙間とほぼ同じ横方向幅を有しており、図８に示すように、室外熱交換器２７のフィン２７ｂ間に挿入されることによって、第２係止部３４と室外熱交換器２７とは、吸込グリル３０が横方向に移動することを規制するように係止される。
【００３４】
このように、吸込グリル３０は、グリル本体３１に形成された係止部３２、３４によって、背面空気吸込口２ｃに取り付けられている。しかし、係止部３２、３４によって吸込グリル３０を背面空気吸込口２ｃに取り付けただけでは、吸込グリル３０のグリル本体３１と室外熱交換器２７とが接触するおそれがある。
【００３５】
そこで、ここでは、図３、図９〜図１１に示すように、グリル本体３１のフレーム部３１ｂに、グリル本体３１から室外熱交換器２７側に突出するスペーサ部３５を形成するようにしている。スペーサ部３５は、図１０に示すように、グリル本体３１から室外熱交換器２７側に向かって突出する室外熱交換器２７のフィンピッチＰよりも横方向幅の寸法Ｗ１が大きい部分である。スペーサ部３５は、樹脂製であり、グリル本体３１と樹脂一体成形されている。ここでは、スペーサ部３５は、図３に示すように、吸込グリル３０の第１係止部３２と第２係止部３４との上下方向間の部分に３つ形成されている。スペーサ部３５は、図１０及び図１１に示すように、横方向幅Ｗ１に比べて上下方向の肉厚Ｔ１が小さい板状部分である。そして、図１０及び図１１に示すように、スペーサ部３５がグリル本体３１と室外熱交換器２７との間に隙間を確保することで、吸込グリル３０のグリル本体３１と室外熱交換器２７との接触を避けることができる。また、ここでは、グリル本体３１が樹脂成形品であることに起因してグリル本体３１にたわみがいくらか発生するおそれがあるところ、横方向幅の大きいスペーサ部３５をグリル本体３１に形成することによって、グリル本体３１のたわみの発生を抑えることができる。
【００３６】
しかし、このようなスペーサ部３５をグリル本体３１に形成すると、吸込グリル３０を背面空気吸込口２ｃに取り付ける際や吸込グリル３０が背面空気吸込口２ｃに取り付けられた状態の室外ユニット１を輸送する際に、スペーサ部３５が室外熱交換器２７のフィン２７ｂに接触して、フィン２７ｂを潰してしまうおそれがある。特に、ここでは、スペーサ部３５の上下方向の肉厚Ｔ１が小さく、室外熱交換器２７のフィン２７ｂにスペーサ部３５の先端が垂直に当接するため、フィン２７ｂを潰してしまうおそれが高い。
【００３７】
そこで、ここでは、図３、図９〜図１１に示すように、各スペーサ部３５に、緩衝部材３６を設けるようにしている。緩衝部材３６は、図１０に示すように、スペーサ部３５の先端よりも室外熱交換器２７側に向かって突出する室外熱交換器２７のフィンピッチＰよりも横方向幅の寸法Ｗ２が大きい部材である。緩衝部材３６は、スペーサ部３５を含むグリル本体３１とは別体の部材であり、ここでは、スペーサ部３５の上面に接着等により取り付けられている。また、緩衝部材３６は、ここでは、略直方体形状であり、その先端は、図１０及び図１１に示すように、スペーサ部３５の先端よりも長さＳだけ室外熱交換器２７側に向かって突出している。
【００３８】
このため、吸込グリル３０を背面空気吹出口２ｃに取り付ける際や吸込グリル３０が背面空気吹出口２ｃに取り付けられた状態の室外ユニット１を輸送する際に、吸込グリル３０が室外熱交換器２７側に押圧される力が作用したとしても、スペーサ部３５に設けられた緩衝部材３６がフィン２７ｂに先に接触するようになる。
【００３９】
これにより、ここでは、スペーサ部３５とフィン２７ｂとの接触を避けることができるようになり、グリル本体３１に形成されたスペーサ部３５が室外熱交換器２７のフィン２７ｂに接触してフィン２７ｂの潰れが発生することを抑えることができる。
【００４０】
また、緩衝部材３６は、図１１に示すように、スペーサ部３５の先端（上下方向幅の寸法Ｔ１）よりも上下方向幅の寸法Ｔ２が大きくなっている。
【００４１】
このため、図１１に示すように、緩衝部材３６とフィン２７ｂとの接触面積を大きくすることができるようになる。
【００４２】
これにより、ここでは、緩衝部材３６からフィン２７ｂに作用する応力を緩和することができるようになり、緩衝部材３６とフィン２７ｂとの接触によるフィン２７ｂの変形も抑えることができる。
【００４３】
また、スペーサ部３５は、スペーサ部３５（ここでは、グリル本体３１）よりも軟質の素材からなり、ここでは、発泡性の樹脂（例えば、発泡ポリエチレン樹脂）からなる。
【００４４】
このため、図１０及び図１１に示すように、スペーサ部３５よりも軟質の緩衝部材３６がフィン２７ｂに接触することになる。
【００４５】
これにより、ここでは、スペーサ部３５がフィン２７ｂに接触する場合に比べて、フィン２７ｂの変形を抑えることができる。
【産業上の利用可能性】
【００４６】
本発明は、ケーシングの側面又は背面に形成された空気吸込口に対向するようにクロスフィン式の室外熱交換器がケーシング内に配置された空気調和装置の室外ユニットにおいて、空気吸込口に取り付けられる吸込グリルに対して、広く適用可能である。
【符号の説明】
【００４７】
１          室外ユニット
２          ケーシング
２ｂ、２ｃ  空気吸込口
２７        室外熱交換器
３１        グリル本体
３５        スペーサ部
３６        緩衝部材
【先行技術文献】
【特許文献】
【００４８】
【特許文献１】特開２００８−１３８８９６号公報
【図１】
2013253723.tif 000003
【図２】
2013253723.tif 000004
【図３】
2013253723.tif 000005
【図４】
2013253723.tif 000006
【図５】
2013253723.tif 000007
【図６】
2013253723.tif 000008
【図７】
2013253723.tif 000009
【図８】
2013253723.tif 000010
【図９】
2013253723.tif 000011
【図１０】
2013253723.tif 000012
【図１１】
2013253723.tif 000013